(57)【要約】【課題】印刷に複数の用紙を要する印刷ファイルを印刷する場合でも、非接触型タグの記憶容量を大きくすることなく、非接触型タグに記憶できる画像形成装置を得る。【解決手段】タグデータを記憶すると共にタグデータを無線通信により送受信する非接触型タグ８０が設けられた用紙Ｗに印刷データに基づいて画像を印刷する。また、タグデータを非接触型タグ８０に記憶させる。その際、印刷に複数の用紙を要する印刷ファイルから用紙一枚分毎の印刷データを作成し、印刷データに基づいて用紙Ｗに印刷させると共に、印刷する用紙Ｗの非接触型タグ８０に用紙一枚分毎の印刷データに対応したファイルデータをタグデータとして非接触型タグ８０に記憶させる（Ｓ２３０〜Ｓ２５０）。ファイルデータは、印刷ファイルから用紙一枚分毎の印刷データに対応したＰＤＦファイルとして作成する。【選択図】図６
2008074068.tif 000002
【特許請求の範囲】
【請求項１】
タグデータを記憶すると共に該タグデータを無線通信により送受信する非接触型タグが設けられた用紙に印刷データに基づいて画像を印刷する印刷手段と、
前記タグデータを前記非接触型タグに記憶させる書込手段とを備えた画像形成装置において、
印刷に複数の前記用紙を要する印刷ファイルから前記用紙一枚分毎の前記印刷データを作成するデータ作成手段と、
前記印刷手段を制御して、前記データ作成手段からの前記用紙一枚分毎の前記印刷データに基づいて前記用紙に印刷させると共に、前記書込手段を制御して、印刷する前記用紙の前記非接触型タグに前記用紙一枚分毎の前記印刷データに対応したファイルデータを前記タグデータとして記憶させる印刷・書込制御手段と、
を備えたことを特徴とする画像形成装置。
【請求項２】
前記データ作成手段は、前記印刷ファイルから前記用紙一枚分毎の前記印刷データに対応した前記ファイルデータを作成することを特徴とする請求項１に記載の画像形成装置。
【請求項３】
前記印刷・書込制御手段は、前記データ作成手段からの前記用紙一枚分の前記印刷データから前記ファイルデータを作成することを特徴とする請求項１に記載の画像形成装置。
【請求項４】
前記印刷・書込制御手段は、印刷する前記用紙の前後の少なくとも一方の前記用紙に対応した前記ファイルデータをも印刷する前記用紙の前記非接触型タグに前記タグデータとして記憶させることを特徴とする請求項１ないし請求項３のいずれかに記載の画像形成装置。
【請求項５】
前記印刷・書込制御手段は、前記用紙一枚分の前記ファイルデータの容量が大きく、前記非接触型タグに記憶できないときに、前記ファイルデータの一部をその前記用紙の前記非接触型タグに記憶させ、残りの前記ファイルデータを他の前記用紙に記憶させることを特徴とする請求項１ないし請求項４のいずれかに記載の画像形成装置。
【請求項６】
前記印刷・書込制御手段は、前記ファイルデータの一部をその前記用紙の前記非接触型タグに記憶させると共に、その前記用紙にその一部の前記ファイルデータに対応した印刷を行わせ、残りの前記ファイルデータを他の前記用紙の前記非接触型タグに記憶させると共に、他の前記用紙にその残りの前記ファイルデータに対応した印刷を行わせることを特徴とする請求項５に記載の画像形成装置。
【発明の詳細な説明】
【技術分野】
【０００１】
本発明は、タグデータを無線通信により送受信する非接触型タグが設けられた用紙に画像を印刷すると共に、タグデータを非接触型タグに記憶させる画像形成装置に関する。
【背景技術】
【０００２】
従来より、タグデータを無線通信により送受信する非接触型タグが設けられた用紙に画像を印刷すると共に、非接触型タグにタグデータを記憶する画像形成装置が知られている。例えば、特許文献１にあるように、この画像形成装置では、原稿をコピーする際に、自動原稿搬送装置にセットされた原稿が非接触型タグが設けられた印刷物であるか否かを検出し、非接触型タグ付きの印刷物であるときには、原稿を搬送しないで、非接触型タグから画像データを読み出し、画像データに基づいて用紙に印刷する。用紙に非接触型タグが設けられている際には、非接触型タグに画像データを記憶させている。
【０００３】
また、特許文献２にあるように、この画像形成装置では、例えば、コンサートチケットの画像データを用紙に印刷すると共に、印刷する画像データの内容に応じた、氏名、性別、生年月日等の情報を用紙に設けた非接触型タグに記憶させている。
【０００４】
更に、特許文献３にあるように、この電子データ記録装置では、着脱式のＩＣカード等の記録媒体に画像データを記録する際に、挿着される前の記録媒体との無線通信により、記録媒体の残容量を読み出し、記録しようとするデータ容量と比較して、残容量が少ないときには警告を発するようにしている。
【特許文献１】特開２００５−１９７８３５号公報
【特許文献２】特開２００５−２１２３０３号公報
【特許文献３】特開２００５−１７４５３０号公報
【発明の開示】
【発明が解決しようとする課題】
【０００５】
しかしながら、こうした従来の特許文献１や特許文献２の装置では、一枚の用紙に印刷し、そのデータをその用紙の非接触型タグに記憶させるが、印刷が複数の用紙にわたる場合、非接触型タグにどのようなデータを記憶させるかが問題となる。非接触型タグが予め用紙に設けられ、各非接触型タグにそれぞれ全てのデータを記憶させると、非接触型タグの記憶容量に大きなものを必要としてしまう。また、単に、特許文献３にあるように、記憶容量が不足する場合、警告を発するだけでは印刷を行うことができないという問題があった。
【０００６】
本発明の課題は、印刷に複数の用紙を要する印刷ファイルを印刷する場合でも、非接触型タグの記憶容量を大きくすることなく、非接触型タグに記憶できる画像形成装置を提供することにある。
【課題を解決するための手段】
【０００７】
かかる課題を達成すべく、本発明は課題を解決するため次の手段を取った。即ち、タグデータを記憶すると共に該タグデータを無線通信により送受信する非接触型タグが設けられた用紙に印刷データに基づいて画像を印刷する印刷手段と、前記タグデータを前記非接触型タグに記憶させる書込手段とを備えた画像形成装置において、印刷に複数の前記用紙を要する印刷ファイルから前記用紙一枚分毎の前記印刷データを作成するデータ作成手段と、前記印刷手段を制御して、前記データ作成手段からの前記用紙一枚分毎の前記印刷データに基づいて前記用紙に印刷させると共に、前記書込手段を制御して、印刷する前記用紙の前記非接触型タグに前記用紙一枚分毎の前記印刷データに対応したファイルデータを前記タグデータとして記憶させる印刷・書込制御手段と、を備えたことを特徴とする画像形成装置がそれである。
【０００８】
前記データ作成手段が、前記印刷ファイルから前記用紙一枚分毎の前記印刷データに対応した前記ファイルデータを作成するようにしてもよい。あるいは、前記印刷・書込制御手段が、前記データ作成手段からの前記用紙一枚分の前記印刷データから前記ファイルデータを作成するようにしてもよい。
【０００９】
また、前記印刷・書込制御手段が、印刷する前記用紙の前後の少なくとも一方の前記用紙に対応した前記ファイルデータをも印刷する前記用紙の前記非接触型タグに前記タグデータとして記憶させるようにしてもよい。
【００１０】
更に、前記印刷・書込制御手段が、前記用紙一枚分の前記ファイルデータの容量が大きく、前記非接触型タグに記憶できないときに、前記ファイルデータの一部をその前記用紙の前記非接触型タグに記憶させ、残りの前記ファイルデータを他の前記用紙に記憶させるようにしてもよい。その際、前記印刷・書込制御手段が、前記ファイルデータの一部をその前記用紙の前記非接触型タグに記憶させると共に、その前記用紙にその一部の前記ファイルデータに対応した印刷を行わせ、残りの前記ファイルデータを他の前記用紙の前記非接触型タグに記憶させると共に、他の前記用紙にその残りの前記ファイルデータに対応した印刷を行わせるようにしてもよい。
【発明の効果】
【００１１】
本発明の画像形成装置は、印刷に複数の用紙を要する印刷ファイルを印刷する際、印刷する用紙の非接触型タグに用紙一枚分毎の印刷データに対応したファイルデータをタグデータとして記憶させるので、非接触型タグの記憶容量を大きくすることなく、小容量の非接触型タグに記憶できるという効果を奏する。一般に、大容量タグは小容量タグよりチップ面積が大きく、用紙の折り曲げ等による破損の可能性が増大するため、なるべく小容量を使うのが望ましい。本発明では、大容量タグの使用を必要最小限に抑えることができるので、上記のような破損のおそれが少なくなると共に、コスト的にも有利となる。
【００１２】
また、ファイルデータは、印刷ファイルから作成すると容易に作成できる。あるいは、印刷データから作成すると、印刷・書込手段側でファイルデータを作成できる。更に、ファイルデータの容量が大きいときには、ファイルデータの一部を非接触型タグに記憶させると、非接触型タグの容量を大きくすることなく記憶できる。その際、用紙への印刷内容と、非接触型タグに記録するファイルデータとが同じになるようにすると、非接触型タグの内容等が理解しやすくなる。
【発明を実施するための最良の形態】
【００１３】
以下本発明を実施するための最良の形態を図面に基づいて詳細に説明する。
本実施形態に係る画像を印刷する装置は、プリンタ機能、スキャナ機能、コピー機能等を備えた複合機１であり、図１はその外観を示す斜視図である。また、図２は、読取ユニット３を開けた状態を示す複合機１の斜視図である。尚、以下の説明では、複合機１について、操作部６が設けられた面側（図１で紙面右下方向）を「前方」、その反対側（図１で紙面左上方向）を「後方」とする。
【００１４】
この複合機１は、フィーダ部２１及び画像形成部２２等（図３参照）を内蔵する画像形成ユニット２（本発明の「印刷手段」に相当）と、自動搬送原稿読取ユニット３（以下「読取ユニット３」という）とを備えている。図１、図２に示すように、読取ユニット３は、上面に矩形状の原稿台４ａが設けられた画像読取装置４と、その原稿台４ａを覆うように配される自動原稿搬送装置５（以下「ＡＤＦ５」という）とを備えて構成されている。図２に示すように、読取ユニット３は、上記操作部６とは反対側の後端部が画像形成ユニット２の上面後端側において回動可能に軸支されている。
【００１５】
画像読取装置４の一端側（図１で紙面右下方向）には、ユーザによる各種の操作が可能な操作部６が設けられている。操作部６には、モード選択スイッチ９６、スタートキー９７、各種の操作ボタン９８、液晶表示のタッチパネル９９が設けられている。
【００１６】
モード選択スイッチ９６は、３種類の機能モード（ファックス機能、スキャナ機能、コピー機能のそれぞれの動作を可能とするモード）のうちからいずれかのモードを選択可能となっている。具体的には、コピーモードを選択するためのコピーモードキー９６ａ、ＦＡＸ（ファックス）モードを選択するためのＦＡＸモードキー９６ｂ、スキャナモードを選択するためのスキャナモードキー９６ｃの３つのモードキーが左右に並んで設けられている。
【００１７】
スタートキー９７は、機能モードに応じた動作を開始させるためのスイッチであり、コピーモードのときに押される（オンされる）と原稿台４ａ上に配（載置）された原稿のコピーを開始する。尚、ＦＡＸモード、スキャナモードのときに、スタートキー９７が押されると、ＦＡＸ送信原稿読取や、スキャナ原稿読取等の動作が行われる。
【００１８】
タッチパネル９９は、所定の操作で設定メニューボタン（図示略）が表示され、設定メニューボタンに触れると、各種の設定に関する表示がされる。また、印刷要求があった後に、例えば、用紙Ｗ不足等のエラーが生じた場合には、タッチパネル９９の一部を構成する表示部にエラー表示がなされて、エラーが生じたことがユーザに報知される。
【００１９】
この操作部６の下側の位置には排紙トレイ２ａ（図３：後述）に連なって開口した用紙取り出し孔７が形成されている。その用紙取り出し孔７の下側には水平方向に伸びるスリット状の開口した手差給紙口８が形成されており、更にその下側には、給紙カセット９が設けられている。
【００２０】
画像形成ユニット２の各構成について、図３を参照しつつ説明する。図３は、複合機１を給紙ローラ２５等の軸方向から見た要部側断面図であり、同図において紙面右側が複合機１の前方であり、紙面左側が複合機１の後方となる。
【００２１】
画像形成ユニット２のケーシング２０内には、用紙Ｗを給紙するためのフィーダ部２１や、給紙された用紙Ｗに所定の画像を形成するための画像形成部２２などが備えられている。また、画像形成部２２の上部には、画像形成部２２により画像形成され、排出された用紙Ｗを保持するために用いられる排紙トレイ２ａが配されている。
【００２２】
フィーダ部２１は、給紙カセット９と、給紙カセット９内に設けられた揺動可能な用紙押圧板（図示略）と、給紙カセット９の前端側端部の上方に設けられる給紙ローラ２５などによって構成されている。
【００２３】
給紙カセット９は、ケーシング２０内の下方側に配され、操作部６側の面から着脱（装着及び取り外し）可能に装着されており、この中に用紙Ｗが積層されて収納されるようになっており、給紙ローラ２５によって最上位の用紙Ｗが搬送経路を介してレジストローラ２９側に順次送られるようになっている。
【００２４】
本実施形態では、給紙カセット９内に、後述する内部に情報が記憶されると共に、図示しないアンテナにより電波の送受信が行われる非接触型タグ８０（ＲＦＩＤ（Ｒａｄｉｏ  Ｆｒｅｑｕｅｎｃｙ  Ｉｄｅｎｔｉｆｉｃａｔｉｏｎ）タグ）が備えられた用紙Ｗが収容される。
【００２５】
この用紙Ｗは、長方形の用紙Ｗの縁部（用紙Ｗの右上端の近くの印刷の際に余白となる部分。用紙Ｗの角部（四隅）でもよい）の一部に、非接触型タグ８０が埋め込まれているものであり、通常の用紙と同様に、用紙Ｗの紙面に印刷を行うことができる。
【００２６】
給紙カセット９が装着された状態における後端側の側方には、給紙カセットの着脱を検知するための着脱検知部８２が設けられている。着脱検知部８２は、例えば、給紙カセット９の両側方に投光素子（図示しない）と当該投光素子からの光を受ける受光素子（図示しない）とが一対設けられる光電センサであって、給紙カセット９の装着時には給紙カセット９の側壁により投光素子からの光が遮光され、給紙カセット９を引き出すことにより投光素子からの光が受光素子に受光されるものである。
【００２７】
そして、受光素子にて受光される光の受光量変化に応じた信号がＣＰＵ９０に出力されることにより、ＣＰＵ９０は、給紙カセット９の装着及び引き出し（着脱）が行われたことを検出できるようになっている。
【００２８】
レジストローラ２９は、１対のローラから構成されており、給紙ローラ２５の近傍に配置された図示しない位置センサによる検知タイミングに基づいて、駆動及び停止の動作が制御回路８３により制御される。そして、この制御により用紙Ｗの斜行が修正される。
【００２９】
画像形成部２２は、スキャナユニット４０、プロセスユニット４１、定着ユニット４２などを備えている。図３に示すように、スキャナユニット４０は、ケーシング２０内の上部に設けられ、レーザ発光部（図示略）、ポリゴンモータ４３により回転駆動されるポリゴンミラー４４、レンズ４５及び４６、反射鏡４７及び４８などを備えており、レーザ発光部から発光される所定の印刷データに基づくレーザビームを、ポリゴンミラー４４、レンズ４５、反射鏡４７、レンズ４６、反射鏡４８の順に通過あるいは反射させて、後述するプロセスユニット４１における感光体ドラム５２の表面上に高速走査にて照射させている。
【００３０】
複合機１には、画像形成ユニット２の本体部に対して着脱可能なプロセスユニット４１が設けられている。プロセスユニット４１は、ドラムカートリッジ５０と、現像カートリッジ５１とから構成されている。
【００３１】
プロセスユニット４１のうち、ドラムカートリッジ５０には、感光体ドラム５２、スコロトロン型帯電器５３、転写ローラ５４を備えている。また、現像カートリッジ５１には、現像ローラ５５、現像ローラ５５上に圧接される層厚規制ブレード５６、トナー供給ローラ５７及びトナー（現像剤）が充填されるトナーボックス５８などを備えている。
【００３２】
感光体ドラム５２は、現像ローラ５５の側方位置において、その現像ローラ５５と対向するような状態で時計方向に回転可能に配設されている。スコロトロン型帯電器５３は、正帯電用のスコロトロン型の帯電器であり、感光体ドラム５２に接触しないように、所定の間隔を隔てて配設されている。
【００３３】
そして、感光体ドラム５２の表面は、その感光体ドラム５２の回転に伴って、まず、スコロトロン型帯電器５３により一様に正帯電された後、スキャナユニット４０からのレーザビームの高速走査により露光され、所定の印刷データに基づく静電潜像が形成される。
【００３４】
次いで、現像ローラ５５の回転により、現像ローラ５５上に担持されかつ正帯電されているトナーが、感光体ドラム５２に対向して接触する時に、感光体ドラム５２の表面上に形成される静電潜像に供給される。
【００３５】
転写ローラ５４は、感光体ドラム５２の下方において、この感光体ドラム５２に対向するように配置され、ドラムカートリッジ５０に反時計方向に回転可能に支持されている。そして、感光体ドラム５２の表面上に担持された可視像は、用紙Ｗが感光体ドラム５２と転写ローラ５４との間を通る間に用紙Ｗに転写される。
【００３６】
定着ユニット４２は、プロセスユニット４１よりも用紙搬送方向下流側（後方側）に配設され、定着ユニット４２は転写された用紙Ｗ上のトナーを加熱溶融させるための加熱ローラ６３と、加熱ローラ６３に対向して配置され、送給される用紙Ｗを加熱ローラ６３に向けて押圧する押圧ローラ６４と、サーミスタ６５とを備えている。
【００３７】
加熱ローラ６３は、円筒状部材としての金属素管を備え、その軸方向に沿ってハロゲンランプが内装されている。このハロゲンランプにより、加熱ローラ６３の表面を、トナーが用紙Ｗに定着される定着温度（例えば、２００℃）まで加熱可能となっている。
【００３８】
押圧ローラ６４は、金属製のローラ軸と、この押圧ローラ軸の周りを被覆する、ゴム材料からなるゴムローラとを備えている。この押圧ローラ６４のゴムローラにより加熱ローラ６３の金属素管に弾性的に押圧され、加熱ローラ６３の回転に従動される。
【００３９】
サーミスタ６５は、温度により抵抗値が変化する素子であり、その抵抗値の値により、加熱ローラ６３の温度を測定する。その温度により、ＣＰＵ９０が、加熱ローラ６３を加熱するヒータの電源をＯＮ・ＯＦＦすることにより、加熱ローラ６３が、所定の温度になるように制御する。
【００４０】
このような定着ユニット４２において、加熱ローラ６３は、プロセスユニット４１において用紙Ｗに転写されたトナーを、用紙Ｗから加熱ローラ６３と押圧ローラ６４との間を通過する間に加熱及び加圧することにより定着させる。
【００４１】
更に、加熱ローラ６３は、画像定着後の用紙Ｗを、ガイド部材６７，６８により形成される排紙パスを介して、排出ローラ６９まで搬送する。そして、排出ローラ６９は、送られてきた用紙Ｗを排紙トレイ２ａ上に排紙する。この排出ローラ６９の近傍に、排出ローラ６９により送られる用紙Ｗの非接触型タグ８０と対向するＩＣライタ８１（本発明の「書込手段」に相当）が設けられている。ＩＣライタ８１は、図示しないアンテナから電波を発することにより、用紙Ｗの非接触型タグ８０にタグデータを記憶させることができる。
【００４２】
読取ユニット３は、画像読取装置４とＡＤＦ５とを備え、画像読取装置４は、画像形成ユニット２の排紙トレイ２ａの上方において、その下面４ｂが当該排紙トレイ２ａと対向し、この排紙トレイ２ａを覆うように配されている。
【００４３】
読取ユニット３は、フラットベッド方式のスキャナとして構成されており、このフラットベッド方式の構成では、ＡＤＦ５が後方に開くと、原稿台４ａが露出するようになっており（図２参照）、その原稿台４ａ上に本やその他の各種原稿を載置した状態でコピー時等における読み取りができるように構成されている。
【００４４】
尚、原稿の読み取りは、原稿台４ａ上に原稿を載置して行う場合と、ＡＤＦ５を利用する場合とがある。原稿台４ａ上に原稿を載置して行う場合には、原稿の搬送方向に沿って延びる軸７９に沿って、かつ、原稿台４ａに沿ってＣＩＳ（コンタクトイメージセンサ）７１が移動され、その際に１ラインずつ、原稿台４ａ上に載置された原稿の読み取りが行われる。また、一方、ＡＤＦ５を利用する場合には、ＣＩＳ７１が原稿台４ａの左端部側に移動され、その位置で保持されて、ＡＤＦ５により搬送される原稿の読み取りが１ラインずつ行われるようになっている。
【００４５】
図４は本実施形態の複合機１の電気系統を示すブロック図である。図４に示すように、複合機１は、各種の入力操作を受け付ける操作部６と、給紙カセット９の着脱が行われたことを検知する着脱検知部８２と、非接触型タグ８０へのタグデータの記憶を行うＩＣライタ８１と、画像の読取を行う読取ユニット３と、印刷及び定着ユニット４２により加熱定着を行う画像形成部２２と、ＲＯＭ９１と、ＲＡＭ９２と、ＣＰＵ９０と、電話回線等の通信回線に接続されるファクシミリインターフェース９４と、パーソナルコンピュータＰＣ（以下「パソコンＰＣ」という）等に接続されるネットワークインターフェース９５とを備えて構成されている。
【００４６】
ＣＰＵ９０は、外部のパソコンＰＣからの印刷データの受信及び、コピー走査が行われることにより読取ユニット３からの画像データの受信があると、印刷データ、画像データ及びデータに付加されている情報（例えば印刷指令を行ったユーザの情報、印刷要求のあった枚数等のページ情報）をＲＡＭ９２に記憶させる。
【００４７】
次に、パソコンＰＣで行われるデータ作成処理（本発明の「データ作成手段」に相当）について説明する。図５は本実施形態のパソコンＰＣで行われるデータ作成処理の一例を示すフローチャートである。
【００４８】
このデータ作成処理は、パソコンＰＣ内に予めインストールされたドライバソフトにより実行されるもので、パソコンＰＣの文章編集ソフトにより編集された文章や、表計算ソフトにより作成された表等を印刷する際に、印刷するプリンタとして前述した複合機１が選択されて、印刷の実行が指示されると、本データ作成処理が実行される。
【００４９】
図５に示すように、まず、複合機１に印刷の開始を指示するジョブ開始コマンドを送信する（ステップ１００。以下、Ｓ１００という。以下同様。）。ジョブ開始コマンドを送信した後、非接触型タグ８０にタグデータを記憶するか否かを判断する（Ｓ１１０）。タグデータを記憶するか否かは、例えば、パソコンＰＣの画面にタグデータを記憶するか否かを問い合わせるチェックボックスを表示し、タグデータを記憶する旨のチェックボックスにチェックがされた際に、タグデータを記憶すると判断する。タグデータを記憶する旨のチェックがされた際には、タグデータを記憶すると判断して（Ｓ１１０：ＹＥＳ）、印刷ファイルの１ページ分のデータからＰＤＦファイルを作成する（Ｓ１１５）。
【００５０】
印刷ファイルは、パソコンＰＣにより文章編集ソフトにより編集した文章のソースファイル、あるいは、表計算ソフトにより作成した表のソースファイル等であり、これから複合機１により印刷しようとするファイルである。この印刷ファイルの内容を用紙に印刷する際には、複数の用紙を要するファイルであり、文章編集ソフト等により、複数ページにわたって印刷がなされるように設定されている。
【００５１】
本実施形態では、印刷ファイルを他の形式のファイルに変換して、印刷ファイルからなる変換ファイルをファイルデータとして送信している。例えば、インターネット配布用文書形式で事実上標準となっている、米国Ａｄｏｂｅ  Ｓｙｓｔｅｍｓ社が電子文書のフォーマットとして開発したＰＤＦ（Ｐｏｒｔａｂｌｅ  Ｄｏｃｕｍｅｎｔ  Ｆｏｒｍａｔ）形式のファイルに変換して送信している。ＰＤＦファイルに変換することにより、ファイルサイズを小さくすることができる。
【００５２】
作成するのは、この印刷ファイルの１ページ分、例えば、先に、最初の１ページ分のデータをＰＤＦ形式のファイルに変換して、印刷する１ページ分のＰＤＦファイルを作成する。最初に作成するのは、印刷ファイルの内容の最初の１ページ、あるいは、逆に、最後のページであってもよい。
【００５３】
ＰＤＦファイルを作成した後、タグ書込コマンドを複合機１に送信する（Ｓ１２０）。タグ書込コマンドを送信した後（Ｓ１２０）、次に、非接触型タグ８０のタグデータとするため、Ｓ１１５の処理により、複合機１に印刷ファイルに基づいて作成した１ページ分のＰＤＦファイルを送信する（Ｓ１３０）。
【００５４】
ＰＤＦファイルを送信した後（Ｓ１３０）、印刷ファイルの内容のうち、Ｓ１１５の処理の際にＰＤＦファイルに変換した印刷ファイルの１ページ分（用紙一枚分）に相当する印刷データを、印刷ファイルを各画素に展開して作成する（Ｓ１４０）。
【００５５】
次に、この作成した用紙一枚分の印刷データをパソコンＰＣから複合機１に送信する（Ｓ１５０）。続いて、次ページのデータがあるか否かを、印刷ファイルの内容に基づいて判断する（Ｓ１６０）。印刷ファイルは印刷に複数の用紙を要し、印刷ファイルの内容から、次ページのデータがまだあると判断して（Ｓ１６０：ＹＥＳ）、Ｓ１１５以下の処理を繰り返し、印刷ファイルの次のページのデータからＰＤＦファイルを作成する（Ｓ１１５）。
【００５６】
そして、タグ書込コマンドを複合機１に送信し（Ｓ１２０）、作成した１ページ分のＰＤＦファイルを送信する（Ｓ１３０）。この印刷ファイルの次の１ページ分（用紙一枚分）の印刷データを作成し（Ｓ１４０）、この作成した用紙一枚分の印刷データをパソコンＰＣから複合機１に送信する（Ｓ１５０）。
【００５７】
同様に、Ｓ１１５以下の処理を繰り返して、複数の用紙を要する印刷ファイルの全てのページについて、それぞれ１ページ毎にＰＤＦファイルを作成して（Ｓ１１５）、複合機１に送信する（Ｓ１３０）。続いて、１ページ毎の印刷データを作成して（Ｓ１４０）、その作成した印刷データを全て複合機１に送信する（Ｓ１５０）。ＰＤＦファイルの作成・送信及び印刷データの作成・送信は、印刷ファイルの最初の１ページから最後のページに向かって順に作成・送信してもよく、あるいは、逆に最後のページから最初の１ページに向かって順に作成・送信してもよい。
【００５８】
こうして、印刷ファイルの全てのページについて、１ページ毎（用紙一枚分毎）の印刷データを作成して、複合機１に送信すると、次ページのデータはないと判断して（Ｓ１６０：ＮＯ）、ジョブ終了コマンドを複合機１に送信して（Ｓ１７０）、本処理を終了する。
【００５９】
一方、Ｓ１１０の処理により、非接触型タグ８０にタグデータを記憶しないと判断したときには（Ｓ１１０：ＮＯ）、Ｓ１４０〜Ｓ１６０の処理と同様に、印刷ファイルの内容のうち、用紙一枚分の印刷データを作成する（Ｓ１８０）。次に、この作成した用紙一枚分の印刷データをパソコンＰＣから複合機１に送信する（Ｓ１８５）。
【００６０】
続いて、次ページのデータがあるか否かを、印刷ファイルの内容に基づいて判断する（Ｓ１９０）。印刷ファイルの内容から、次ページのデータがまだあると判断すると（Ｓ１９０：ＹＥＳ）、Ｓ１８０以下の処理を繰り返し、次のページに相当する用紙一枚分の印刷データを作成し（Ｓ１８０）、その作成した印刷データを複合機１に送信する（Ｓ１８５）。印刷ファイルの全てのページについて、用紙一枚分毎の印刷データを作成して、複合機１に送信すると、次ページのデータはないと判断して（Ｓ１９０：ＮＯ）、ジョブ終了コマンドを複合機１に送信し（Ｓ１７０）、本処理を終了する。
【００６１】
次に、複合機１により行われる印刷・書込制御処理（本発明の「印刷・書込制御手段」に相当）について説明する。図６は本実施形態の複合機１において行われる印刷・書込制御処理の一例を示すフローチャートである。
【００６２】
図６に示すように、複合機１の電源が投入されると、本印刷・書込制御処理が実行される。まず、複合機１では、各種センサの動作や原位置確認などの印刷を開始できる状態とするハードウエアのイニシャル処理を実行する（Ｓ２００）。次に、パソコンＰＣからの受信データがあるか否かを判断し（Ｓ２０５）、パソコンＰＣから何らかのデータの送信がないときには（Ｓ２０５：ＮＯ）、そのまま待機し、受信データがあったときには（Ｓ２０５：ＹＥＳ）、その受信データがジョブ開始コマンドか否かを判断する（Ｓ２１０）。このジョブ開始コマンドはパソコンＰＣのＳ１００の処理により送信される。
【００６３】
ジョブ開始コマンドでなかったときには（Ｓ２１０：ＮＯ）、その受信したコマンドに応じた処理を行って（Ｓ２１５）、Ｓ２０５以下の処理を繰り返す。受信したデータがジョブ開始コマンドであるときには（Ｓ２１０：ＹＥＳ）、ジョブ開始コマンドに続いて、受信データがあるか否かを判断する（Ｓ２２０）。
【００６４】
パソコンＰＣから何らかのデータの送信がないときには（Ｓ２２０：ＮＯ）、そのまま待機し、受信データがあったときには（Ｓ２２０：ＹＥＳ）、その受信データがタグ書込コマンドか否かを判断する（Ｓ２２５）。タグ書込コマンドはパソコンＰＣのＳ１２０の処理により送信される。
【００６５】
タグ書込コマンドを受信したときには（Ｓ２２５：ＹＥＳ）、非接触型タグ８０に記憶させるタグデータがあると判断して、タグ書込コマンドに続いて、パソコンＰＣのＳ１３０の処理により送信されるＰＤＦファイルからなるファイルデータを受信し、このファイルデータをタグデータとしてＲＡＭ９２のバッファに格納する（Ｓ２３０）。
【００６６】
次に、ファイルデータに続いて、パソコンＰＣのＳ１５０の処理により送信される１ページ分（用紙Ｗ一枚分）の印刷データを受信し（Ｓ２３５）、受信した印刷データに基づいて用紙Ｗに印刷する印刷処理を実行すると共に、バッファに格納したＰＤＦファイルからなるファイルデータを非接触型タグ８０にタグデータとして記憶させる処理を実行する（Ｓ２４０）。
【００６７】
印刷処理では、給紙カセット９内の最上位の非接触型タグ８０が設けられた用紙Ｗが、給紙ローラ２５によって搬送経路を介してレジストローラ２９に順次送られ、感光体ドラム５２の表面上に担持された可視像が、用紙Ｗに転写される。用紙Ｗに転写されたトナーを、加熱ローラ６３と押圧ローラ６４とにより定着させ、画像定着後の用紙Ｗを、排紙パスを介して、排出ローラ６９まで搬送する。
【００６８】
そして、記憶処理では、排出ローラ６９により送られる用紙Ｗの非接触型タグ８０と対向するＩＣライタ８１から、図示しないアンテナから電波を発することにより、用紙Ｗの非接触型タグ８０にバッファに格納されたＰＤＦファイルデータをタグデータとして記憶させて、排紙トレイ２ａに排出する。
【００６９】
続いて、受信データがあるか否かを判断し（Ｓ２４５）、受信データがないときには（Ｓ２４５：ＮＯ）、そのまま待機し、受信データがあると（Ｓ２４５：ＹＥＳ）、受信データがジョブ終了コマンドか否かを判断する（Ｓ２５０）。
【００７０】
印刷ファイルは印刷に複数の用紙Ｗを要するので、パソコンＰＣからはＳ１１５〜Ｓ１６０の処理の実行により、複数のページ毎のＰＤＦファイルが順に送信されると共に、複数のページ毎の印刷データが順に送信される。パソコンＰＣから次のページの印刷データが送信され、受信データがジョブ終了コマンドではないと判断すると（Ｓ２５０：ＮＯ）、Ｓ２３０以下の処理を繰り返して、複数のページ毎のＰＤＦファイルと印刷データを受信して（Ｓ２３０〜Ｓ２３５）、用紙Ｗに印刷データに基づいて印刷すると共に、非接触型タグ８０に印刷データと同じ内容のＰＤＦファイルをタグデータとして記憶させる（Ｓ２４０）。
【００７１】
パソコンＰＣからＳ１７０の処理によるジョブ終了コマンドが送信され、ジョブ終了コマンドが受信されたと判断すると（Ｓ２５０：ＹＥＳ）、１つのジョブの処理が終了したので、Ｓ２０５、Ｓ２１０、Ｓ２１５の処理を行いながら、次のジョブ開始コマンドを待つ。
【００７２】
一方、Ｓ２２５の処理により、受信したデータがタグ書込コマンドではないと判断すると（Ｓ２２５：ＮＯ）、１ページ分（用紙Ｗ一枚分）の印刷データを受信する（Ｓ２５５）。印刷データを受信した後、受信した印刷データに基づいて用紙Ｗに印刷する印刷処理を実行する（Ｓ２６０）。
【００７３】
印刷処理を行った後（Ｓ２６０）、受信データがあるか否かを判断し（Ｓ２６５）、受信データがないときには（Ｓ２６５：ＮＯ）、そのまま待機し、受信データがあると（Ｓ２６５：ＹＥＳ）、受信データがジョブ終了コマンドか否かを判断する（Ｓ２７０）。
【００７４】
パソコンＰＣからはＳ１８０〜Ｓ１９０の処理の実行により、１ページ毎の印刷データが順に送信される。パソコンＰＣから次のページの印刷データが送信され、受信データがジョブ終了コマンドではないと判断すると（Ｓ２７０：ＮＯ）、１ページ分の印刷データを受信する（Ｓ２５５）。印刷データを受信した後、受信した印刷データに基づいて用紙Ｗに印刷する印刷処理を実行する（Ｓ２６０）。
【００７５】
Ｓ２５５以下の処理を繰り返して、パソコンＰＣから送信される印刷データに基づいて用紙Ｗに印刷する。パソコンＰＣからＳ１７０の処理によるジョブ終了コマンドが送信され、ジョブ終了コマンドが受信されたと判断すると（Ｓ２７０：ＹＥＳ）、１つのジョブの処理が終了したので、Ｓ２０５、Ｓ２１０、Ｓ２１５の処理を行いながら、次のジョブ開始コマンドを待つ。
【００７６】
このように、印刷ファイルをファイルデータとして非接触型タグ８０に記憶させるときには（Ｓ２２５：ＹＥＳ）、本実施形態では、印刷に複数の用紙Ｗを要する印刷ファイルの１ページ毎に作成した印刷データに基づいて、用紙Ｗに印刷すると共に、１ページ毎の印刷した内容と同じ内容のＰＤＦファイルを、その印刷する用紙Ｗの非接触型タグ８０に記憶させる（Ｓ２３０〜Ｓ２５０）。
【００７７】
従って、非接触型タグ８０に記憶させるのは、その用紙Ｗに記憶させるそのページのＰＤＦファイルであるので、非接触型タグ８０の記憶容量は小さくてもよい。例えば、印刷ファイルの全てのページ分を１つのＰＤＦファイルに変換して、そのＰＤＦファイルを非接触型タグ８０に記憶させると、非接触型タグ８０の記憶容量に大きなものが必要となる。尚、本実施形態では、ＰＤＦファイルに変換して記憶させているが、ソースファイルとしての印刷ファイルを１ページ毎に分割して、その印刷ファイルを変換することなく、各非接触型タグ８０に記憶させてもよい。
【００７８】
次に、前述した実施形態と異なる第２実施形態としてのデータ作成処理と印刷・書込制御処理とについて、図７、図８によって説明する。図７は第２実施形態のパソコンＰＣで行われるデータ作成処理の一例を示すフローチャートである。図８は第２本実施形態の複合機１において行われる印刷・書込制御処理の一例を示すフローチャートである。尚、前述した図５、図６に示すデータ作成処理及び印刷・書込制御処理と同じ処理については同一番号を付して詳細な説明を省略する。以下同様。
【００７９】
本第２実施形態では、データ作成処理は、前述した実施形態と同様、パソコンＰＣにより実行され、図７に示すように、まず、複合機１に印刷の開始を指示するジョブ開始コマンドを送信する（Ｓ１００）。ジョブ開始コマンドを送信した後、非接触型タグ８０にタグデータを記憶するか否かを判断する（Ｓ１１０）。
【００８０】
非接触型タグ８０にタグデータを記憶するときには（Ｓ１１０：ＹＥＳ）、複合機１にタグ書込コマンドを送信する（Ｓ１２０）。そして、印刷ファイルの内容のうち、１ページ分（用紙一枚分）の印刷データを作成する（Ｓ１４０）。次に、この作成した１ページ分の印刷データをパソコンＰＣから複合機１に送信する（Ｓ１５０）。
【００８１】
続いて、次ページのデータがあるか否かを、印刷ファイルの内容に基づいて判断する（Ｓ１６０）。印刷ファイルの内容から、次ページのデータがまだあると判断すると（Ｓ１６０：ＹＥＳ）、Ｓ１４０以下の処理を繰り返し、次のページに相当する用紙一枚分の印刷データを作成し（Ｓ１４０）、その作成した印刷データを複合機１に送信する（Ｓ１５０）。印刷ファイルの全てのページについて、用紙一枚分毎の印刷データを作成して、複合機１に送信すると、次ページのデータはないと判断して（Ｓ１６０：ＮＯ）、ジョブ終了コマンドを複合機１に送信し（Ｓ１７０）、本処理を終了する。
【００８２】
非接触型タグ８０にタグデータを記憶させないときには（Ｓ１１０：ＮＯ）、タグ送信コマンドを送信することなく、１ページ分の印刷データを作成して（Ｓ１４０）、この作成した１ページ分の印刷データをパソコンＰＣから複合機１に送信する（Ｓ１５０）。
【００８３】
複合機１では、図８に示す印刷・書込制御処理が実行され、電源が投入されると、まず、複合機１では、ハードウエアのイニシャル処理を実行し（Ｓ２００）、パソコンＰＣからのコマンドに応じた処理を行って（Ｓ２１５）、Ｓ２０５以下の処理を繰り返す。受信したデータがジョブ開始コマンドであり（Ｓ２１０：ＹＥＳ）、また、タグ書込コマンドを受信したときには（Ｓ２２５：ＹＥＳ）、非接触型タグ８０にタグデータを記憶させると判断して、タグ書込コマンドに続いて、パソコンＰＣのＳ１５０の処理により送信される印刷データを受信する（Ｓ２３５）。
【００８４】
そして、受信した印刷データからＰＤＦ形式のファイルデータを作成する（Ｓ２３６）。これにより、印刷データに応じた１ページ分（用紙Ｗ一枚分）のＰＤＦファイルデータが作成される。
【００８５】
次に、受信した印刷データに基づいて用紙Ｗに印刷する印刷処理を実行すると共に、印削データから作成したＰＤＦファイルからなるファイルデータを非接触型タグ８０にタグデータとして記憶させる処理を実行する（Ｓ２４１）。
【００８６】
続いて、受信データがあるか否かを判断し（Ｓ２４５）、受信データがないときには（Ｓ２４５：ＮＯ）、そのまま待機し、受信データがあると（Ｓ２４５：ＹＥＳ）、受信データがジョブ終了コマンドか否かを判断する（Ｓ２５０）。
【００８７】
印刷ファイルは印刷に複数の用紙Ｗを要するので、パソコンＰＣからはＳ１４０〜Ｓ１６０の処理の実行により、複数のページ毎の印刷データが順に送信される。パソコンＰＣから次のページの印刷データが送信され、複数のページ毎の印刷データを受信して（Ｓ２３５）、その印刷データ毎にＰＤＦファイルデータを作成する（Ｓ２３６）。そして、用紙Ｗに印刷データに基づいて印刷すると共に、非接触型タグ８０に印刷データと同じ内容のＰＤＦファイルをタグデータとして記憶させる（Ｓ２４０）。
【００８８】
パソコンＰＣからＳ１７０の処理によるジョブ終了コマンドが送信され、ジョブ終了コマンドが受信されたと判断すると（Ｓ２５０：ＹＥＳ）、１つのジョブの処理が終了したので、以下、Ｓ２０５、Ｓ２１０、Ｓ２１５の処理を行いながら、次のジョブ開始コマンドを待つ。
【００８９】
一方、Ｓ２２５の処理により、受信したデータがタグ書込コマンドではないと判断すると（Ｓ２２５：ＮＯ）、１ページ分の印刷データを受信し（Ｓ２５５）、受信した印刷データに基づいて用紙Ｗに印刷する印刷処理を実行する（Ｓ２６０）。
【００９０】
このように、印刷ファイルをファイルデータとして非接触型タグ８０に記憶させるときには（Ｓ２２５：ＹＥＳ）、本第２実施形態では、印刷に複数の用紙Ｗを要する印刷ファイルの１ページ毎に作成した印刷データに基づいて、用紙Ｗに印刷すると共に、１ページ毎の印刷した内容と同じ内容のＰＤＦファイルを、印刷データに基づいて作成し、その印刷する用紙Ｗの非接触型タグ８０に記憶させる（Ｓ２３５〜Ｓ２５０）。
【００９１】
従って、非接触型タグ８０に記憶させるのは、その用紙Ｗに記憶させるそのページのＰＤＦファイルであるので、非接触型タグ８０の記憶容量は小さくてもよい。
次に、第３実施形態としての印刷・書込制御処理について、図９、図１０によって説明する。図９、図１０は第３本実施形態の複合機１において行われる印刷・書込制御処理の一例を示すフローチャートである。
【００９２】
パソコンＰＣにおいて行われるデータ作成処理は、前述した図５に示すデータ作成処理と同じであり、複数の用紙を要する印刷ファイルの全てのページについて、それぞれ１ページ毎にＰＤＦファイルを作成して（Ｓ１１５）、複合機１に送信する（Ｓ１３０）。同時に、１ページ毎の印刷データを作成して（Ｓ１４０）、その作成した印刷データを全て複合機１に送信する（Ｓ１５０）。
【００９３】
一方、複合機１の電源が投入されると、図９、図１０に示す印刷・書込制御処理が実行される。まず、ハードウエアのイニシャル処理を実行し（Ｓ２００）、パソコンＰＣからのコマンドに応じた処理を行って（Ｓ２１５）、Ｓ２０５以下の処理を繰り返す。受信したデータがジョブ開始コマンドであり（Ｓ２１０：ＹＥＳ）、また、タグ書込コマンドを受信したときには（Ｓ２２５：ＹＥＳ）、非接触型タグ８０に記憶させるタグデータがあると判断して、バッファカウンタｉに１を代入する（Ｓ２２６）。
【００９４】
次に、タグ書込コマンドに続いて、パソコンＰＣのＳ１３０の処理により送信されるＰＤＦファイルからなるファイルデータを受信し、このファイルデータをタグデータとして、１番目から３番目の３つのバッファのうち、１番目のバッファに格納する（Ｓ２３１）。ファイルデータに続いて、パソコンＰＣのＳ１５０の処理により送信される１ページ分（用紙Ｗ一枚分）の印刷データを受信する（Ｓ２３５）。
【００９５】
続いて、受信データがあるか否かを判断し（Ｓ２４５）、受信データがないときには（Ｓ２４５：ＮＯ）、そのまま待機し、受信データがあると（Ｓ２４５：ＹＥＳ）、受信データがジョブ終了コマンドか否かを判断する（Ｓ２５０）。尚、印刷が１ページ分のみであると、パソコンＰＣからはジョブ終了コマンドが送信されるので、受信データがジョブ終了コマンドであると判断して（Ｓ２５０：ＹＥＳ）、受信した印刷データに基づいて用紙Ｗに印刷する印刷処理を実行すると共に、１番目のバッファに格納したＰＤＦファイルからなるファイルデータを非接触型タグ８０にタグデータとして記憶させる処理を実行する（Ｓ２５１）。Ｓ２５１の処理を実行した後、１つのジョブの処理が終了したので、以下、Ｓ２０５、Ｓ２１０、Ｓ２１５の処理を行いながら、次のジョブ開始コマンドを待つ。
【００９６】
印刷ファイルの印刷に複数の用紙Ｗを要する際には、パソコンＰＣからはＳ１１５〜Ｓ１６０の処理の実行により、複数のページ毎のＰＤＦファイルが順に送信されると共に、複数のページ毎の印刷データが順に送信される。パソコンＰＣから次のページの印刷データが送信され、受信データがジョブ終了コマンドではないと判断すると（Ｓ２５０：ＮＯ）、図１０に示すように、バッファカウンタｉに１を加算する（Ｓ３００）。
【００９７】
次に、次のページのＰＤＦファイルからなるファイルデータを受信し、このファイルデータをタグデータとして、１番目から３番目の３つのバッファのうち、２番目のバッファに格納する（Ｓ３０５）。
【００９８】
そして、Ｓ２３５の処理により受信した印刷データに基づいて用紙Ｗに印刷する印刷処理を実行すると共に、１番目と２番目のバッファに格納したＰＤＦファイルからなるファイルデータを非接触型タグ８０にタグデータとして記憶させる処理を実行する（Ｓ３１０）。これにより、最初に印刷する用紙Ｗには、最初のページの内容が印刷されると共に、その用紙Ｗの非接触型タグ８０には最初のページと次のページとの２ページ分のＰＤＦファイルが記憶される。
【００９９】
続いて、パソコンＰＣのＳ１５０の処理により送信される１ページ分（次の１ページ分）の印刷データを受信する（Ｓ３１５）。受信後、受信データがあるか否かを判断し（Ｓ３２０）、受信データがないときには（Ｓ３２０：ＮＯ）、そのまま待機し、受信データがあると（Ｓ３２０：ＹＥＳ）、受信データがジョブ終了コマンドか否かを判断する（Ｓ３２５）。
【０１００】
３ページ以降も印刷する際には、パソコンＰＣからはジョブ終了コマンドが送信されないので、受信データがジョブ終了コマンドではないと判断して（Ｓ３２５：ＮＯ）、バッファカウンタｉに１を加算する（Ｓ３３０）。そして、３ページ目のＰＤＦファイルからなるファイルデータを受信し、このファイルデータをタグデータとして、バッファに格納する（Ｓ３３５）。その際、格納するバッファは、１番目から３番目の３つのうち、バッファカウンタｉから１を減算してから３で除した余り（分母を３としたときの分子の値を余りとする）に１を加算したバッファに格納する。即ち、３ページ目のときには、バッファカウンタｉは３であり、３から１を減算した２を３で除した余りは、２となる。２に１を加算すると、３となり、３番目のバッファに３ページ目のＰＤＦファイルを格納する。
【０１０１】
次に、Ｓ３１５の処理により受信した印刷データに基づいて用紙Ｗに印刷する印刷処理を実行すると共に、１番目〜３番目のバッファに格納したＰＤＦファイルからなるファイルデータを非接触型タグ８０にタグデータとして記憶させる処理を実行する（Ｓ３４０）。
【０１０２】
これにより、２ページ目を印刷する用紙Ｗには、２ページ目の内容が印刷されると共に、その用紙Ｗの非接触型タグ８０には１ページ目から３ページ目の３ページ分のＰＤＦファイルが記憶される。即ち、２ページ目の用紙Ｗの非接触型タグ８０には、前のページと、自分のページと、後のページとの３ページ分のＰＤＦファイルが記憶される。
【０１０３】
ＰＤＦファイルを記憶した後、Ｓ３１５以下の処理を繰り返し実行し、Ｓ３１５の処理の実行により、３ページ目の印刷データを受信し、４ページ目の印刷を行なう際には、バッファカウンタｉに１を加算して４とし（Ｓ３３０）、４から１を減算した３を３で除した余りは、０となり、０に１を加算すると、１となるので、１番目のバッファに４ページ目のＰＤＦファイルを格納する（Ｓ３３５）。即ち、１番目のバッファには１ページ目のＰＤＦファイルが格納されているが、これに代えて、４ページ目のＰＤＦファイルを格納する。
【０１０４】
続いて、Ｓ３１５の処理により受信した３ページ目の印刷データに基づいて用紙Ｗに印刷する印刷処理を実行すると共に、１番目〜３番目のバッファに格納した２ページ目〜４ページ目分のＰＤＦファイルからなるファイルデータを非接触型タグ８０にタグデータとして記憶させる処理を実行する（Ｓ３４０）。
【０１０５】
再び、Ｓ３１５の処理の実行により、４ページ目の印刷データを受信し、５ページ目の印刷データがある際には、バッファカウンタｉに１を加算して５とし（Ｓ３３０）、５から１を減算した４を３で除した余りは、１となり、１に１を加算すると、２となるので、２番目のバッファに５ページ目のＰＤＦファイルを格納する（Ｓ３３５）。即ち、２番目のバッファには２ページ目のＰＤＦファイルが格納されているが、これに代えて、５ページ目のＰＤＦファイルを格納する。
【０１０６】
続いて、４ページ目の印刷データに基づいて用紙Ｗに印刷する印刷処理を実行すると共に、１番目〜３番目のバッファに格納した３ページ目〜５ページ目分のＰＤＦファイルからなるファイルデータを非接触型タグ８０にタグデータとして記憶させる処理を実行する（Ｓ３４０）。
【０１０７】
５ページ目の印刷データをＳ３１５の処理により受信し、５ページ目が最後のページであるとすると、パソコンＰＣからはジョブ終了コマンドが送信されるので、受信したデータがジョブ終了コマンドであると判断して（Ｓ３２５：ＹＥＳ）、受信した印刷データに基づいて用紙Ｗに５ページ目を印刷する印刷処理を実行すると共に、バッファカウンタｉを３で除した余り（分母を３としたときの分子の値を余りとする）に１を加算した値以外のバッファに格納したＰＤＦファイルからなるファイルデータを非接触型タグ８０にタグデータとして記憶させる処理を実行する（Ｓ３４５）。
【０１０８】
５ページ目のときには、バッファカウンタｉの５を３で除した余りが２となり、２に１を加算して３となるので、３番目のバッファ（３ページ目のＰＤＦファイルが格納されている）以外のバッファ、即ち、１番目と２番目のバッファに格納された４ページ目と５ページ目分のＰＤＦファイルからなるファイルデータを非接触型タグ８０にタグデータとして記憶させる。これにより、最後のページの用紙Ｗに設けられた非接触型タグ８０には、前のページと自分のページ分の２つ分のＰＤＦファイルが記憶される。Ｓ３４５の処理を実行した後、１つのジョブの処理が終了したので、以下、Ｓ２０５、Ｓ２１０、Ｓ２１５の処理を行いながら、次のジョブ開始コマンドを待つ。
【０１０９】
一方、Ｓ２２５の処理により、受信したデータがタグ書込コマンドではないと判断すると（Ｓ２２５：ＮＯ）、１ページ分（用紙Ｗ一枚分）の印刷データを受信する（Ｓ２５５）。印刷データを受信した後、受信した印刷データに基づいて用紙Ｗに印刷する印刷処理を実行する（Ｓ２６０）。
【０１１０】
このように、第３実施形態では、タグデータを非接触型タグ８０に記憶させるときには（Ｓ２２５：ＹＥＳ）、印刷に複数の用紙Ｗを要する印刷ファイルの１ページ毎に作成した印刷データに基づいて、用紙Ｗに印刷する。また、１ページ毎の印刷した内容と同じ内容のＰＤＦファイルのうち、最初のページでは、１ページと後のページの２ページ分のＰＤＦファイルを非接触型タグ８０に記憶する。次ページ以降は、前後のページと自分のページの３ページ分のＰＤＦファイルを非接触型タグ８０に記憶し、最後のページでは、前のページと最後のページの２ページ分のＰＤＦファイルを非接触型タグ８０に記憶する。
【０１１１】
従って、非接触型タグ８０に記憶させるのは、前後のページと自分のページのＰＤＦファイルであるので、非接触型タグ８０の記憶容量は小さくてもよい。例えば、印刷ファイルの全てのページ分を１つのＰＤＦファイルに変換して、そのＰＤＦファイルを非接触型タグ８０に記憶させると、非接触型タグ８０の記憶容量に大きなものが必要となる。
【０１１２】
しかも、前後のページのＰＤＦファイルをも記憶しているので、例えば、ある１ページの用紙Ｗを紛失しても、その前後のページの用紙Ｗの非接触型タグ８０に記憶されているＰＤＦファイルから、紛失した用紙Ｗを再現できる。
【０１１３】
尚、本実施形態では、ＰＤＦファイルに変換して記憶させているが、ソースファイルとしての印刷ファイルを１ページ毎に分割して、その印刷ファイルを変換することなく、各非接触型タグ８０に記憶させてもよい。また、最初と最後のページ以外では、前後のページをも記憶しているが、これに限らず、どちらか一方のページ、例えば、後のページと自分のページとの２ページ分を記憶するようにしてもよい。
【０１１４】
次に、第４実施形態としての印刷・書込制御処理について、図１１によって説明する。図１１は第４本実施形態の複合機１において行われる印刷・書込制御処理の一例を示すフローチャートである。
【０１１５】
パソコンＰＣにおいて行われるデータ作成処理は、前述した図５に示すデータ作成処理と同じであり、複数の用紙を要する印刷ファイルの全てのページについて、それぞれ１ページ毎にＰＤＦファイルを作成して（Ｓ１１５）、複合機１に送信する（Ｓ１３０）。同時に、１ページ毎の印刷データを作成して（Ｓ１４０）、その作成した印刷データを全て複合機１に送信する（Ｓ１５０）。
【０１１６】
一方、複合機１の電源が投入されると、図１１に示す印刷・書込制御処理が実行される。まず、ハードウエアのイニシャル処理を実行し（Ｓ２００）、受信したコマンドに応じた処理を行って（Ｓ２１５）、受信データとしてタグ書込コマンドを受信したときには（Ｓ２２５：ＹＥＳ）、非接触型タグ８０に記憶させるタグデータがあると判断して、ＰＤＦファイルを受信して、バッファに格納すると共に（Ｓ２３０）、印刷データを受信する（Ｓ２３５）。
【０１１７】
次に、受信した印刷データに基づいて用紙Ｗに印刷する印刷処理を実行すると共に、バッファに格納したＰＤＦファイルからなるファイルデータを非接触型タグ８０にタグデータとして記憶させる処理を実行する（Ｓ２４１）。その際、ＰＤＦファイルの容量が大きく、非接触型タグ８０の容量的に全てを記憶させることができないときには、非接触型タグ８０に容量的に記憶させることができる部分のＰＤＦファイルを記憶させる。
【０１１８】
そして、ＰＤＦファイルの全容量を非接触型タグ８０に記憶させることができたか否かを判断し（Ｓ２４２）、ＰＤＦファイルの全容量を記憶させることができなかったときには（Ｓ２４２：ＮＯ）、Ｓ２４１の処理により、非接触型タグ８０に記憶した部分を除いた差分のＰＤＦファイルを作成する（Ｓ２４３）。
【０１１９】
次に、「非接触型タグにデータがある」旨の印刷を用紙Ｗに行なうと共に、Ｓ２４３の処理により作成した差分のＰＤＦファイルからなるファイルデータを非接触型タグ８０にタグデータとして記憶させる処理を実行する（Ｓ２４４）。この際にも、差分のＰＤＦファイルの容量がまだ大きく、非接触型タグ８０の容量的に全てを記憶させることができないときには、非接触型タグ８０に容量的に記憶させることができる部分のＰＤＦファイルを記憶させる。
【０１２０】
尚、本実施形態では、この用紙Ｗには印刷データに基づく印刷は行わないが、これに限らず、差分のＰＤＦファイルに応じた内容の印刷を行うようにして、印刷の内容と、非接触型タグ８０に記憶されているＰＤＦファイルの内容とが同じになるようにしてもよい。
【０１２１】
例えば、図１２（ａ）に示すように、用紙Ｗの上側に前半の部分を印刷し、その印刷した内容のＰＤＦファイルを非接触型タグ８０に記憶し、次のページには、図１２（ｂ）に示すように、その残りの部分の印刷を用紙の下側に行い、その印刷した内容のＰＤＦファイルを非接触型タグ８０に記憶するようにしてもよい。
【０１２２】
続いて、Ｓ２４２以下の処理を実行し、まだ、ＰＤＦファイルの全容量を記憶させることができなかったときには（Ｓ２４２：ＮＯ）、差分のＰＤＦファイルを作成して（Ｓ２４３）、「非接触型タグにデータがある」旨の印刷をすると共に、非接触型タグ８０に記憶させる。（Ｓ２４４）
Ｓ２４２の処理により、全容量を記憶したと判断すると（Ｓ２４２：ＹＥＳ）、受信データがあるか否かを判断し（Ｓ２４５）、受信データがないときには（Ｓ２４５：ＮＯ）、そのまま待機し、受信データがあると（Ｓ２４５：ＹＥＳ）、受信データがジョブ終了コマンドか否かを判断する（Ｓ２５０）。
【０１２３】
印刷ファイルは印刷に複数の用紙Ｗを要するので、Ｓ２３０以下の処理を繰り返し、ＰＤＦファイルと印刷データとを受信し、用紙Ｗに印刷データに基づいて印刷すると共に、ＰＤＦファイルを非接触型タグ８０に記憶する（Ｓ２３０〜Ｓ２４３）。ジョブ終了コマンドが受信されたと判断すると（Ｓ２５０：ＹＥＳ）、１つのジョブの処理が終了したので、以下、Ｓ２０５、Ｓ２１０、Ｓ２１５の処理を行いながら、次のジョブ開始コマンドを待つ。
【０１２４】
このように、第４実施形態では、ＰＤＦファイルのサイズが、非接触型タグ８０の容量よりも大きく、１つの非接触型タグ８０に記憶させることができないときには、１つの非接触型タグ８０に記憶させることができる容量のファイルに分割する。この分割したファイルを非接触型タグ８０に記憶させるので、非接触型タグ８０の記憶容量は小さくてもよい。また、「非接触型タグにデータがある」旨の印刷を用紙Ｗに行うことにより、非接触型タグ８０にタグデータが記憶されていることが容易にわかる。
【０１２５】
また、例えば、図１３に示すように、用紙Ｗの左右上側の隅に、それぞれ小容量の非接触型タグ８０を設ける。大きな容量が必要にときには、２つの非接触型タグ８０にタグデータを記憶させる。また、一方の非接触型タグ８０で足りるときには、左側の非接触型タグ８０にＰＤＦファイルを記憶させ、右側の非接触型タグ８０にはＫＩＬＬコマンド等を書き込み、休眠状態とする。これにより、複数の非接触型タグ８０を設けても混信を防止できる。
【０１２６】
更に、用紙Ｗを綴じる際には、通常、左側が綴じられるので、左側の非接触型タグ８０が背表紙側となり、図示しないリーダによるタグデータの読み取りが容易になる。尚、左右上側の隅に設けると印刷の際に、画質に影響を与えない。
【０１２７】
以上本発明はこの様な実施形態に何等限定されるものではなく、本発明の要旨を逸脱しない範囲において種々なる態様で実施し得る。例えば、第３及び第４実施形態では、ＰＤＦファイルを受信するように説明したが、他の形式のファイルを受信してもよいし、第２実施形態のように印刷データのみを受信し、複合機１において、非接触型タグ８０に書き込むデータを生成してもよい。
【０１２８】
前述した第１、第３、第４の実施形態では、パソコンＰＣから複合機１に、用紙一枚分毎の印刷データと、印刷ファイルとしてのファイルデータとを送信し、第２実施形態では、パソコンＰＣから複合機１に用紙一枚分の印刷データを送信することにより、パソコンＰＣと複合機１とにより、本発明の画像形成装置を構成している。本実施形態では、パソコンＰＣと複合機１とをネットワークを介して接続しているが、プリンターポートあるいはシリアルポートを介して接続してもよいし、パソコンＰＣと複合機１とを一体的に構成してもよい。その際、印刷ファイルを記憶させたメモリーカード等を、画像形成装置に設けたカードリーダ等に挿入して、印刷ファイルを読み込むようにしてもよく、必ずしもネットワークに接続されている必要はなく、編集済みの印刷ファイルを読み込めればよく、文章編集機能を備えていなくてもよい。
【図面の簡単な説明】
【０１２９】
【図１】本発明の一実施形態としての複合機の外観を示す斜視図である。
【図２】本実施形態の読取ユニットを開けた状態を示す複合機の斜視図である。
【図３】本実施形態の複合機を給紙ローラ等の軸方向から見た要部側断面図である。
【図４】本実施形態の複合機の電気系統を示すブロック図である。
【図５】本実施形態のパソコンで行われるデータ作成処理の一例を示すフローチャートである。
【図６】本実施形態の複合機において行われる印刷・書込制御処理の一例を示すフローチャートである。
【図７】第２実施形態としてのパソコンで行われるデータ作成処理の一例を示すフローチャートである。
【図８】第２実施形態としての複合機において行われる印刷・書込制御処理の一例を示すフローチャートである。
【図９】第３実施形態としての複合機において行われる印刷・書込制御処理の前半の一例を示すフローチャートである。
【図１０】第３実施形態としての複合機において行われる印刷・書込制御処理の後半の一例を示すフローチャートである。
【図１１】第４実施形態としての複合機において行われる印刷・書込制御処理の一例を示すフローチャートである。
【図１２】ファイル容量が大きいときの、用紙への印刷を説明する説明図である。
【図１３】複数の非接触型タグを設ける場合の説明図である。
【符号の説明】
【０１３０】
１…複合機          ２…画像形成ユニット
２ａ…排紙トレイ    ３…自動搬送原稿読取ユニット
４…画像読取装置    ６…操作部
９…給紙カセット    ２１…フィーダ部
２２…画像形成部    ２５…給紙ローラ
２９…レジストローラ
４０…スキャナユニット
４１…プロセスユニット
４２…定着ユニット  ５０…ドラムカートリッジ
５１…現像カートリッジ
５２…感光体ドラム  ５４…転写ローラ
５５…現像ローラ    ６３…加熱ローラ
６４…押圧ローラ    ６９…排出ローラ
８０…非接触型タグ  ８１…ＩＣライタ
８２…着脱検知部    ８３…制御回路
ＰＣ…パーソナルコンピュータ
Ｗ…用紙
【図１】
2008074068.tif 000003
【図２】
2008074068.tif 000004
【図３】
2008074068.tif 000005
【図４】
2008074068.tif 000006
【図５】
2008074068.tif 000007
【図６】
2008074068.tif 000008
【図７】
2008074068.tif 000009
【図８】
2008074068.tif 000010
【図９】
2008074068.tif 000011
【図１０】
2008074068.tif 000012
【図１１】
2008074068.tif 000013
【図１２】
2008074068.tif 000014
【図１３】
2008074068.tif 000015